(57)【要約】【課題】大型化や慎重な組み付け作業を要しないことを前提に、ケース内の液晶パネルの支持位置及び品位の安定性を確保できる液晶表示装置を提供する。【解決手段】下側ケース２０の各側壁２１から内部に向けて切り起こされた第１の突出片２３により、液晶パネル１０の各一対の側端を水平方向で弾性的に挟持し、下側ケース２０の下壁２２から内部に向けて切り起こされた第２の突出片２５により、液晶パネル１０を上方に向けて付勢して上側ケース３０の上壁３２とで弾性的に挟持する。【選択図】　　　図５
2004109734.tif 000002
【特許請求の範囲】
【請求項１】
液晶パネルと、上面が開放し前記液晶パネルを水平に収容する下側ケースと、この下側ケースに収容された前記液晶パネルの周縁部の上面を覆い前記下側ケースに固定される上側ケースと、を備えた液晶表示装置において、前記下側ケースの内部に突出して、前記液晶パネルの各一対の側端を水平方向で弾性的に挟持するとともに、前記液晶パネルを上方に向けて付勢し前記上側ケースの上壁とで弾性的に挟持する弾性部材を設けたことを特徴とする液晶表示装置。
【請求項２】
前記弾性部材は、前記下側ケースの各側壁に対して各々突出する板状の第１の突出片からなり、
前記各第１の突出片は、各々前記液晶パネルの各側端辺と平行で、且つ上方に向けて口広がりとなる第１の面を有していて、この第１の面が前記液晶パネルの側端に当接することを特徴とする請求項１に記載の液晶表示装置。
【請求項３】
前記弾性部材は、前記第１の突出片と、前記下側ケースの下壁に対して突出する板状の第２の突出片と、からなり、
前記第２の突出片は、前記液晶パネルの下面と平行な第２の面を有していて、この第２の面が前記液晶パネルの周縁部の下面と当接することを特徴とする請求項２に記載の液晶表示装置。
【請求項４】
前記弾性部材は、前記下側ケースの各側壁に対して各々突出する板状の第１の突出片と、前記下側ケースの下壁に対して突出する板状の第２の突出片と、からなり、
前記各第１の突出片は、各々前記液晶パネルの各側端辺と平行な第１の面を有していて、この第１の面が前記液晶パネルの側端に当接し、他方前記第２の突出片は、前記液晶パネルの下面と平行な第２の面を有していて、この第２の面が前記液晶パネルの周縁部の下面と当接することを特徴とする請求項１に記載の液晶表示装置。
【請求項５】
前記第２の突出片は、縦断面がＳ字状であることを特徴とする請求項３又は４に記載の液晶表示装置。
【請求項６】
前記第２の突出片は、複数の箇所で折曲していることを特徴とする請求項３又は４に記載の液晶表示装置。
【請求項７】
前記下側ケースは金属板よりなり、前記第２の突出片は、前記下側ケースの下壁から切り起こされて形成されることを特徴とする請求項３から６のいずれかに記載の液晶表示装置。
【請求項８】
前記第２の突出片は個別に３つ配設されており、これら第２の突出片が有する第２の面は、前記液晶パネルの周縁部の下面のうち、一側端辺を介して相互に隣接する角部領域、及び前記一側端辺と対向する側端辺の中点領域と当接することを特徴とする請求項３から７のいずれかに記載の液晶表示装置。
【請求項９】
前記第１の突出片は、縦断面がＳ字状であることを特徴とする請求項２から８のいずれかに記載の液晶表示装置。
【請求項１０】
前記第１の突出片は、複数の箇所で折曲していることを特徴とする請求項２から８のいずれかに記載の液晶表示装置。
【請求項１１】
前記下側ケースは金属板よりなり、前記第１の突出片は、前記下側ケースの各側壁から切り起こされて形成されることを特徴とする請求項２から１０のいずれかに記載の液晶表示装置。
【請求項１２】
前記第１の突出片が有する第１の面には、前記液晶パネルの側端と当接する突条が設けられていることを特徴とする請求項２から１１のいずれかに記載の液晶表示装置。
【請求項１３】
前記突条は、前記第１の突出片と一体的に形成されることを特徴とする請求項１２に記載の液晶表示装置。
【請求項１４】
前記突条は、樹脂製であることを特徴とする請求項１２に記載の液晶表示装置。
【請求項１５】
前記上側ケースの上壁は、前記液晶パネルの周縁部の上面を覆う内枠部と、この内枠部を取り囲む固定の外枠部と、これら内枠部及び外枠部を複数の個所で相互に連結し前記内枠部を前記外枠部に対して下方に向けて付勢する連結片部と、からなることを特徴とする請求項１から１４のいずれかに記載の液晶表示装置。
【請求項１６】
前記連結片部は、縦断面がＳ字状であることを特徴とする請求項１５に記載の液晶表示装置。
【請求項１７】
前記連結片部は、複数の箇所で折曲していることを特徴とする請求項１５に記載の液晶表示装置。
【請求項１８】
前記上側ケースは金属板よりなり、前記内枠部、外枠部及び連結片部は、一体的に形成されることを特徴とする請求項１５から１７のいずれかに記載の液晶表示装置。
【発明の詳細な説明】
【０００１】
【発明の属する技術分野】
本発明は、液晶表示装置に関し、特に、ケース内の液晶パネルを安定的に支持し得る支持構造を備えた液晶表示装置に関する。
【０００２】
【従来の技術】
図７に、従来の一般的な液晶表示装置を示す。この液晶表示装置１０１は、大きくは、液晶により表示画面を形成する液晶パネル１１０と、この液晶パネル１１０を水平に収容する下側ケース１２０と、この下側ケース１２０に収容された液晶パネル１１０の周縁部の上面を覆い下側ケース１２０に固定される上側ケース１３０と、から構成される。
【０００３】
具体的には、液晶パネル１１０は、一対のガラス基板（例えば、一方がＴＦＴ基板１１１で、他方がカラーフィルタ１１２である）間に液晶を封入してなり、両面には偏光板１１３、１１４がそれぞれ貼り付けられている。
【０００４】
下側ケース１２０は、上面が開放した箱状のものであって、一般には樹脂で一体成型される。この下側ケース１２０の４つの側壁１２１各々には、遮光性のある両面テープ１４５を介在させて液晶パネル１１０の周縁部を支持するための支持部１２２が形成されている。また、下側ケース１２０における対向する一対の側壁１２１には、後述する上側ケース１３０の貫通孔１３４と係合する爪部１２３が外側に向けて突設されている。
【０００５】
上側ケース１３０は、上壁１３１に液晶パネル１１０の有効表示領域に相当する開口１３２を有し、下面が開放した断面Ｌ字形のフレーム状のものであって、一般には金属板から一体的に加工成形される。上側ケース１３０における対向する一対の側壁１３１には、前述した下側ケース１２０の爪部１２３と係合する貫通孔１３４が形成されており、この貫通孔１３４と爪部１２３との係合によって上側ケース１３０は下側ケース１２０に固定されることになる。
【０００６】
このような構成のもと、下側ケース１２０の支持部１２２に両面テープ１４５を貼り付け、その両面テープ１４５の上面に液晶パネル１１０の周縁部を貼り付け、これにより、液晶パネル１１０は下側ケース１２０に水平に収容されて固着される。更に、この下側ケース１２０に上側ケース１３０を被せて貫通孔１３４と爪部１２３とを係合させ、これにより、上側ケース１３０は下側ケース１２０に固定され、液晶表示装置１０１が得られる。
【０００７】
なお、図７では、バックライト型の液晶表示装置１０１を示しており、下側ケース１２０に収容された液晶パネル１１０の下方には、上方から順に、拡散板や輝度向上フィルムといったレンズシート１４０、導光板１４１、及び反射板１４２が配設されている。更に、導光板１４１の一側方には、バックライトの光源であるＬＥＤ素子１４３が配設されている。
【０００８】
ところで、近年、液晶表示装置を搭載する電子機器は、携帯電話機のように携帯性に優位となる小型化が著しく進んできているため、その携帯性に伴い、地面や床等への落下による一方向の衝撃、或いは捻りといった不用意な負荷を受け易い状況化にあるといえる。そのため液晶表示装置には、その不用意な負荷が伝達して与えられることから、ケース（上側ケース及び下側ケース）内の液晶パネルを安定的に支持し得ることが強く要求される。
【０００９】
このような要求に対して、上記した従来の液晶表示装置１０１では、液晶パネル１１０が両面テープ１４５により下側ケース１２０に完全に固着されるため、ケース内の液晶パネル１１０の位置ズレは全く生じず、液晶パネル１１０の支持位置に関しては安定している。その反面、液晶表示装置１０１すなわちケースに不用意な負荷が与えられた場合、ケースが変形してこれに追従して液晶パネル１１０が無理に変形されようとすることから、液晶パネル１１０の破損や割損が生じかねず、支持された液晶パネル１１０の品位に関しては不安定であるという問題がある。
【００１０】
また、上記した従来の液晶表示装置１０１では、液晶パネル１１０を下側ケース１２０に一旦固着させると、液晶パネル１１０の位置の微調整は困難であるため、ケース内の所定の位置に正確に液晶パネル１１０を固着させるよう慎重な組み付け作業が強いられるという問題もある。
【００１１】
このような問題を解消する従来の技術について、以下に代表例を挙げる。第１の従来技術は、液晶パネルを収容支持するケースをゴム系の樹脂で形成し、不用意な負荷をケースそのもので吸収するようにしている。第２の従来技術は、両面テープによる液晶パネルの固着に代えて、ケースの側壁に液晶パネルのズレ防止用の突起部を設けている（例えば、特許文献１参照）。第３の従来技術は、両面テープによる液晶パネルの固着に代えて、上側ケースや下側ケースと一体的に液晶パネルに当接して上下方向に移動可能な凸部を有する緩衝部材を設けており、この緩衝部材により液晶パネルを挟持している（例えば、特許文献２参照）。
【００１２】
【特許文献１】
特開昭６３−１７９３２２号公報（第２頁、第１、２図）
【特許文献２】
特開平１１−２８２３６０号公報（第３−６頁、第１−１０図）
【００１３】
【発明が解決しようとする課題】
しかし、第１の従来技術によれば、上記したいずれの問題も一応は解消できる上、液晶パネルの支持位置の安定性も維持されるが、ケースにある程度の剛性を持たせる必要があるため、ケースが大型化し、ひいてはその液晶表示装置を搭載する電子機器の小型化を阻害するという新たな課題が生じる。また、第２の従来技術によれば、上記したいずれの問題も一応は解消でき、液晶パネルの水平方向への支持位置の安定性も期待できるが、上下方向への支持位置の安定性に対して課題が再出する。また、第３の従来技術によれば、上記したいずれの問題も一応は解消でき、液晶パネルの上下方向への支持位置の安定性も期待できるが、水平方向への支持位置の安定性に対して課題が再出する。
【００１４】
そこで、本発明は、上記の問題に鑑みてなされたものであり、大型化や慎重な組み付け作業を要しないことを前提に、ケース内の液晶パネルの支持位置及び品位の安定性を確保できる液晶表示装置を提供することを目的とする。
【００１５】
【課題を解決するための手段】
上記目的を達成するため、本発明による液晶表示装置は、液晶パネルと、上面が開放し前記液晶パネルを水平に収容する下側ケースと、この下側ケースに収容された前記液晶パネルの周縁部の上面を覆い前記下側ケースに固定される上側ケースと、を備えた液晶表示装置において、前記下側ケースの内部に突出して、前記液晶パネルの各一対の側端を水平方向で弾性的に挟持するとともに、前記液晶パネルを上方に向けて付勢し前記上側ケースの上壁とで弾性的に挟持する弾性部材を設けている。これにより、弾性部材が液晶パネルの水平方向及び上下方向の支持位置を安定させ、併せてケースに与えられた不用意な負荷に対しては、弾性部材がその負荷を吸収して液晶パネルの無理な変形を抑える。
【００１６】
例えば、前記弾性部材は、前記下側ケースの各側壁に対して各々突出する板状の第１の突出片からなり、前記各第１の突出片は、各々前記液晶パネルの各側端辺と平行で、且つ上方に向けて口広がりとなる第１の面を有していて、この第１の面が前記液晶パネルの側端に当接するようになっているとよい。これにより、各第１の突出片が液晶パネルの各一対の側端を水平方向で弾性的に挟持すると同時に、液晶パネルを上方に向けて付勢し上側ケースの上壁とで弾性的に挟持するようになる。つまり、第１の突出片が単独で液晶パネルの水平方向及び上下方向両方の支持位置を安定させる。
【００１７】
この場合、第１の突出片による液晶パネルの上下方向の支持位置をより十分安定させる観点から、前記弾性部材は、前記第１の突出片と、前記下側ケースの下壁に対して突出する板状の第２の突出片と、からなり、前記第２の突出片は、前記液晶パネルの下面と平行な第２の面を有していて、この第２の面が前記液晶パネルの周縁部の下面と当接するようになっていることが好ましい。
【００１８】
また例えば、前記弾性部材は、前記下側ケースの各側壁に対して各々突出する板状の第１の突出片と、前記下側ケースの下壁に対して突出する板状の第２の突出片と、からなり、前記各第１の突出片は、各々前記液晶パネルの各側端辺と平行な第１の面を有していて、この第１の面が前記液晶パネルの側端に当接し、他方前記第２の突出片は、前記液晶パネルの下面と平行な第２の面を有していて、この第２の面が前記液晶パネルの周縁部の下面と当接するようになっていてもよい。これにより、各第１の突出片が液晶パネルの各一対の側端を水平方向で弾性的に挟持し、他方の第２の突出片が液晶パネルを上方に向けて付勢し上側ケースの上壁とで弾性的に挟持するようになる。つまり、第１、第２の突出片が個別に液晶パネルの水平方向及び上下方向それぞれの支持位置を安定させる。
【００１９】
【発明の実施の形態】
以下に、本発明の実施形態について図面を参照しながら詳述する。先ず、本発明の第１実施形態の液晶表示装置について説明する。図１は第１実施形態の液晶表示装置の分解斜視図、図２はその液晶表示装置における第１の突出片の外観を示し、図２（ａ）は斜視図、図２（ｂ）は水平方向から見た平面図、図２（ｃ）は下方から見た側面図、図３は図２の変形例を示す図である。図４はその液晶表示装置における上側ケースの要部縦断面図、図５はその液晶表示装置の組み立て動作を説明する要部縦断面図である。なお、図中で同じ名称で同じ機能を果たす部分には同一の符号を付している。
【００２０】
これらの図に示すように、液晶表示装置１は、大きくは、液晶により表示画面を形成する液晶パネル１０（図５参照）と、この液晶パネル１０を水平に収容する下側ケース２０と、この下側ケース２０に収容された液晶パネル１０の周縁部の上面を覆い下側ケース２０に固定される上側ケース３０と、から構成される。
【００２１】
液晶パネル１０は、一対のガラス基板であるＴＦＴ基板１１及びカラーフィルタ１２の間に液晶を封入してなり、両面には偏光板１３、１４がそれぞれ貼り付けられている。
【００２２】
下側ケース２０は、金属板から一体的に加工成形され上面が開放した箱状のものであって、４つの側壁２１と下壁２２とを有する。これら側壁２１のうち対向する一対の側壁２１（図１では前後の側壁、図５では右側の側壁）には、後述する上側ケース３０の貫通孔３３と係合する爪部２４が、外側に向けて突設されている。また、各側壁２１には、下側ケース２０の内部に向けて突出して、液晶パネル１０の各一対の側端を水平方向に弾性的に挟持するための第１の突出片２３が、同一水平面上でそれぞれ２箇所ずつ形成されている。これら第１の突出片２３の位置は、液晶パネル１０を安定的に挟持する観点から、各一対の側壁２１において対向することが好ましい。
【００２３】
更に、第１の突出片２３について詳述する。各第１の突出片２３を形成するにあたっては、製作容易性や、弾性力の調整容易性や、液晶パネルの水平位置の調整容易性等を考慮している。つまり各第１の突出片２３は、各側壁２１から切り起こされて下方に向け折曲される。このようにして形成された各第１の突出片２３は、図２及び図３に示すように、弾性力を有する根元側の第１の折曲部２３ａと、側壁２１に平行で液晶パネル１０の側端と当接する第１の面２３ｂとを有しており、その縦断面は概ねＳ字状となる（図５参照）。
【００２４】
これら各第１の面２３ｂ上には、上下方向に延在する断面山形状の突条２３ｃが設けられている。従って、本実施形態では、この突条２３ｃが実質的に液晶パネル１０の側端と当接することになる。この突条２３ｃは、シリコンゴム等の樹脂製であって、第１の突出片２３の成形過程でアウトソートにより一体的に形成される。ここでいうアウトソートとは、一時的に完成した金属板（アルミニウムやＳＵＳ等）からなる下側ケース２０を樹脂成型機に入れて、所定の場所すなわち第１の突出片２３における第１の面２３ｂ上に樹脂をインジェクションして絡ませることであって、従来、樹脂をねじで止めたり、穴を開けてフック状の小さな樹脂を掛止したりするのと比較して、シンプルに下側ケース２０と樹脂とを一体化できる特長がある。なお、図２では、突条２３ｃを各第１の突出片２３における第１の面２３ｂに１つ設けたものを図示し、図３では、それを平行に２つ設けたものを図示しており、突条２３ｃの上端には、液晶パネル１０の側端を円滑に受け入れ易くするよう上方に向けて口広がりの傾斜面が形成されている。
【００２５】
ここで、突条２３ｃを設けた理由を以下に述べておく。液晶パネル１０（ＴＦＴ基板１１及びカラーフィルタ１２）の側端は、一般にスクライブと呼ばれる方法で形成される。このスクライブによれば、低コストで液晶パネル１０が得られる反面、素材のガラス基板に線状の傷をつけて押し割るため、得られた液晶パネル１０の側端面には不定形な凹凸が残存し、その側端面は必ずしも滑らかな平面とはならない。そこで、液晶パネル１０の側端に当接して挟持する際、面接触よりも点又は線接触による方が挟持状態の安定性に対して有利であるため、これを達成すべく突条２３ｃを設けたわけである。なお、この突条２３ｃの材質として樹脂を適用する理由は、液晶パネル１０の側端を不用意に傷つけないようにするためである。
【００２６】
引き続き、下壁２２には、下側ケース２０の内部に向けて突出して、液晶パネル１０を上方に向けて付勢し、後述する上側ケース３０の上壁３１を構成する内枠部３４とで弾性的に挟持するための第２の突出片２５が、３箇所に形成されている。これら第２の突出片２５は、上記した第１の突出片２３と同様に製作容易性等を考慮して、下壁２２から切り起こされて水平方向に折曲されており、弾性力を有する根元側の第２の折曲部２５ａと、下壁２２に平行で液晶パネル１０の周縁部の下面と当接する第２の面２５ｂとを有している。その縦断面は概ねＳ字状となる。なお、各第２の面２５ｂ上にも、第１の面２３ｂ上に設けた突条２３ｃのようなものを設けても勿論よい。
【００２７】
更に、各第２の突出片２５が形成されている上記の３箇所の位置について詳述する。この３箇所の位置は、下側ケース２０内に収容された液晶パネル１０の周縁部の下面のうち、一側端辺（図１では左側の側端辺）を介して相互に隣接する角部領域と対向する２箇所、及びその一側端辺と対向する側端辺（図１では右側の側端辺）の中点領域と対向する１箇所である。従って、これら３箇所に形成された各第２の突出片２５が有する第２の面２５ｂが、液晶パネル１０の周縁部の下面のうち、上記の各角部領域及び中点領域と当接することになり、液晶パネル１０を安定して上方に向けて付勢することが可能となる。
【００２８】
次に、上側ケース３０は、金属板から一体的に加工成形され下面が開放した断面Ｌ字形のフレーム状のものであって、４つの側壁３１と上壁３２とを有する。これらのうち対向する一対の側壁３１には、前述した下側ケース２０の爪部２４と係合する貫通孔３３が形成されており、この貫通孔３３と爪部２４との係合によって上側ケース３０は下側ケース２０に固定されることになる。
【００２９】
上側ケース３０の上壁３２は、図４に示すように、液晶パネル１０の周縁部の上面を覆う内枠部３４と、この内枠部３４を取り囲み各側壁３１に対して固定の外枠部３５と、これら内枠部３４及び外枠部３５を複数の個所で相互に連結し内枠部３４を外枠部３５に対して下方に向けて付勢するための連結片部３６とから構成され、その内枠部３４は、液晶パネル１０の有効表示領域に相当する開口３７を有している（図１、４参照）。
【００３０】
各連結片部３６は、これ自体で下方に向けて弾性力を有するように、外枠部３５から一旦下方斜め方向に折曲し、更に水平方向に折曲して内枠部３４に連結されたものであって、その縦断面は概ねＳ字状となっている。つまり、上側ケース３０単体においては、内枠部３４は外枠部３５に対して１段下がった状態（１ｍｍ程度）にある。なお、図１では、各連結片部３６は、内枠部３４における一対の側端（図中の左右の側端）に固定された幅の狭い板片部３７を介して連結されているが、上記の通り板片部３７を介さずに、直接内枠部３４に連結されてもよい。
【００３１】
なお、本実施形態では、上記した下側ケース２０における第１の突出片２３及び第２の突出片２５、並びに上側ケース３０における連結片部３６に適度な弾性力を持たせるため、下側ケース２０及び上側ケース３０を構成する金属板としての材質は、ＳＵＳ３０４ＣＳＰ等のばね用ステンレス鋼が好ましい。
【００３２】
このような構成のもと、液晶表示装置１の組み立て手順について図５を参照しながら説明する。先ず図５（ａ）に示すように、液晶パネル１０を下側ケース２０内に挿入して水平に収容させる。ここで、液晶パネル１０の各側端は、それぞれ第１の突出片２３における第１の面２３ｂ上の突条２３ｃと当接し、液晶パネル１０の周縁部の下面は、各第２の突出片２５における第２の面２５ｂと当接している。従って、液晶パネル１０は、各第１の突出片２３の弾性力によって水平方向で弾性的に挟持され、他方の各第２の突出片２５の弾性力によって上方に向けて付勢されるようになる。なお、図では、液晶パネル１０の周縁部の下面は、液晶拡散板や輝度向上フィルムといったレンズシート、導光板、反射板、及び光源を含むバックライト部４０を介して、第２の突出片２５と当接しているが、上記の通りバックライト部４０を介さずに、直接第２の突出片２５と当接してもよい。
【００３３】
更に、図５（ｂ）に示すように、その下側ケース２０に上側ケース３０を被せて貫通孔３３と爪部２４とを係合させ、これにより、上側ケース３０は下側ケース２０に固定され、液晶表示装置１が得られる。その際、上側ケース３０における上壁３２においては、内枠部３４の下面が、液晶パネル１０の周縁部の上面と当接した状態で、液晶パネル１０から下方への移動が規制され、これにより連結片部３６が弾性変形し、内枠部３４は外枠部３５とほぼ同一水平面上となる。従って、液晶パネル１０は、内枠部３４を介在させた連結片部３６と、各第２の突出片２５との各々の弾性力によって上下方向で弾性的に挟持されるようになる。
【００３４】
このようにして得られた液晶表示装置１においては、液晶パネル１０が水平方向、上下方向ともに弾性的に挟持されているので、それらの方向における液晶パネル１０の支持位置を安定させることが可能となる。これと併せて、液晶表示装置１のケース（下側ケース２０及び上側ケース３０）に与えられた不用意な負荷（一方向の衝撃や捻り）に対しては、第１の突出片２３や第２の突出片２５や連結片部３６といった弾性部材が、その負荷を吸収して液晶パネル１０の無理な変形を抑えるため、液晶パネル１０の破損や割損を防止でき、液晶パネル１０の品位を安定させることが可能となる。
【００３５】
次に、本発明の第２実施形態について、図６を参照しながら説明する。図６は第２実施形態の液晶表示装置における第１の突出片の縦断面図である。なお、図中で図１〜図５と同じ名称で同じ機能を果たす部分には同一の符号を付し、重複する説明は省略する。本第２実施形態の特徴は、第１実施形態における第１の突出片を変形した点にある。
【００３６】
本実施形態の第１の突出片２３’は、図６に示すように、弾性力を有する根元側の第１の折曲部２３ａ’と、側壁２１に対して上方に向けて口広がりとなるように傾斜し、液晶パネル１０の側端と当接する第１の面２３ｂ’と、を有している。
【００３７】
このような第１の突出片２３’を用いた液晶表示装置１では、液晶パネル１０は、各第１の突出片２３’の弾性力によって水平方向で弾性的に挟持され、これと同時に、上方に向けて付勢され、内枠部３４を介在させた連結片部３６の弾性力とによって、上下方向で弾性的に挟持されるようになる。つまり、上記した第１の実施形態では、第１、第２の突出片２３、２５が個別に液晶パネル１０の水平方向及び上下方向それぞれの支持位置を安定させるが、本実施形態では、第１の突出片２３’が単独で液晶パネル１０の水平方向及び上下方向両方の支持位置を安定させる。
【００３８】
なお、本実施形態では、第２の突出片２５は、補助的に液晶パネル１０を上下方向に挟持する作用を与えることになるため、必ずしも設ける必要はない。
【００３９】
その他本発明は上記の各実施形態に限定されず、本発明の趣旨を逸脱しない範囲で、種々の変更が可能である。例えば、第１、第２の突出片に関して、各々第１、第２の面を有する限り、第１、第２の折曲部では複数の箇所で折曲しても構わない。この場合、不用意な負荷をより吸収できることから、液晶パネルの安定的な支持に対して有効である。また、第１の突出片は下側ケースの下壁から切り起こされてもよいし、第２の突出片も下側ケースの側壁から切り起こされてもよい。
【００４０】
【発明の効果】
以上説明した通り、本発明の液晶表示装置によれば、液晶パネルと、上面が開放し前記液晶パネルを水平に収容する下側ケースと、この下側ケースに収容された前記液晶パネルの周縁部の上面を覆い前記下側ケースに固定される上側ケースと、を備えた液晶表示装置において、前記下側ケースの内部に突出して、前記液晶パネルの各一対の側端を水平方向で弾性的に挟持するとともに、前記液晶パネルを上方に向けて付勢し前記上側ケースの上壁とで弾性的に挟持する弾性部材を設けているので、弾性部材により液晶パネルの水平方向及び上下方向の支持位置を安定させることが可能となる。併せてケースに与えられた不用意な負荷に対しては、弾性部材がその負荷を吸収して液晶パネルの無理な変形を抑えるため、液晶パネルの破損や割損を防止でき、液晶パネルの品位を安定させることが可能となる。
【図面の簡単な説明】
【図１】本発明の第１実施形態の液晶表示装置を分解した斜視図である。
【図２】第１実施形態の液晶表示装置における第１の突出片の外観図である。
【図３】図２の変形例を示す図である。
【図４】第１実施形態の液晶表示装置における上側ケースの要部縦断面図である。
【図５】第１実施形態の液晶表示装置の組み立て動作を説明する要部縦断面図である。
【図６】第２実施形態の液晶表示装置における第１の突出片の縦断面図である。
【図７】従来の液晶表示装置の縦断面図である。
【符号の説明】
１　　液晶表示装置
１０　　液晶パネル
１１　　ＴＦＴ基板
１２　　カラーフィルタ
１３、１４　　偏光板
２０　　下側ケース
２１　　側壁
２２　　下壁
２３　　第１の突出片
２３ａ　　第１の折曲部
２３ｂ　　第１の面
２３ｃ　　突条
２４　　爪部
２５　　第２の突出片
２５ａ　　第２の折曲部
２５ｂ　　第２の面
３０　　上側ケース
３１　　側壁
３２　　上壁
３３　　貫通孔
３４　　内枠部
３５　　外枠部
３６　　連結片部
【図１】
2004109734.tif 000003
【図２】
2004109734.tif 000004
【図３】
2004109734.tif 000005
【図４】
2004109734.tif 000006
【図５】
2004109734.tif 000007
【図６】
2004109734.tif 000008
【図７】
2004109734.tif 000009